(57)【特許請求の範囲】
【請求項１】
踊り場の階段壁と対向する２辺に沿って踊り場支持金物が配設され、上記踊り場支持金物は、踊り場を支持する水平な踊り場支持部と、踊り場支持部の壁側端部から垂下して階段壁の壁体骨組を構成する横桟の側面に当接する垂下部と、踊り場支持部の壁側端部から上記横桟側に向かって水平方向に突出して横桟の上面に載置される水平プレート部とで断面略Ｔ字形に形成されており、且つ、踊り場支持部と垂下部とからなるＬ形金物本体と水平プレート部とを別部材として水平プレート部の幅方向の一端部を踊り場支持部に重ねて形成されており、上記断面略Ｔ字形の踊り場支持金物の垂下部を横桟の側面に当接させ且つ水平プレート部を横桟の上面に載置してボルトにて水平プレート部と横桟とを固定した状態で踊り場の階段壁と対向する２辺を踊り場支持部にてそれぞれ支持すると共に、踊り場の階段壁とは対向しない残りの１辺を踊り場よりも下側の階段蹴込板にて支持して成ることを特徴とする踊り場の支持構造。
【請求項２】
上記壁体骨組は横桟と縦桟とが縦横格子状に構成されており、踊り場支持金物に複数の水平プレート部を並設すると共に、水平プレート部間に上記縦桟に嵌め込まれる凹部を設け、凹部を縦桟に嵌め込んだ状態で各水平プレート部を縦桟の両側の横桟の上面にそれぞれ載置して固定して成ることを特徴とする請求項１記載の踊り場の支持構造。
【発明の詳細な説明】
【０００１】
【発明の属する技術分野】
本発明は、階段の踊り場の支持構造に関するものである。
【０００２】
【従来の技術】
従来より、住宅等の階段の踊り場を支持するにあたっては、図９に示すような断面逆Ｌ字形の踊り場支持金物３’が使用される。この踊り場支持金物３’の垂下部７を階段壁２の壁体骨組２Ａを構成する横桟５の側面５ａに対してボルト９にて固定し、踊り場支持金物３’の踊り場支持部４にて踊り場（図示せず）の端部を支持するようにしていた。図９中の２０，２１はパネル材である。
【０００３】
【発明が解決しようとする課題】
ところが、上記従来では断面逆Ｌ字形の踊り場支持金物３’の垂下部７を横桟５の側面５ａに対してボルト９を横方向から打入しているにすぎないため、踊り場からの荷重を横桟５の１面だけで負担することとなり、特に大地震等による揺れによって踊り場支持金物３’に強度な荷重が加わった場合には、断面逆Ｌ字形の踊り場支持金物３’の曲げが発生したり、ボルト９の引き抜き現象が起き易くなるという問題がある。尚、ボルト９の数を増やして取り付け強度を高めることも考えられるが、この場合、ボルト９の打入箇所が増えて作業の手数が増加し、施工性の低下、コスト高を招くという問題が生じる。
【０００４】
本発明は、上記の従来例の問題点に鑑みて発明したものであって、その目的とするところは、ボルトの数を増やすことなくしかも簡単な構造で且つ安価に、踊り場支持金物による踊り場の支持強度を高めることができ、大地震等による揺れに対して強度の耐力が十分に働くようにすることができる踊り場の支持構造を提供することにある。
【０００５】
【課題を解決するための手段】
上記課題を解決するために本発明にあっては、踊り場１の階段壁２と対向する２辺１ａ，１ａに沿って踊り場支持金物３が配設され、上記踊り場支持金物３は、踊り場１を支持する水平な踊り場支持部４と、踊り場支持部４の壁側端部４ａから垂下して階段壁２の壁体骨組２Ａを構成する横桟５の側面５ａに当接する垂下部７と、踊り場支持部４の壁側端部４ａから上記横桟５側に向かって水平方向Ｄに突出して横桟５の上面５ｂに載置される水平プレート部８とで断面略Ｔ字形に形成されており、且つ、踊り場支持部４と垂下部７とからなるＬ形金物本体３Ａと水平プレート部８とを別部材として水平プレート部８の幅方向の一端部を踊り場支持部４に重ねて形成されており、上記断面略Ｔ字形の踊り場支持金物３の垂下部７を横桟５の側面５ａに当接させ且つ水平プレート部８を横桟５の上面５ｂに載置してボルト９にて水平プレート部８と横桟５とを固定した状態で踊り場１の階段壁２と対向する２辺１ａ，１ａを踊り場支持部４にてそれぞれ支持すると共に、踊り場１の階段壁２とは対向しない残りの１辺１ｂを踊り場１よりも下側の階段蹴込板１０にて支持して成ることを特徴としており、このように構成することで、踊り場１の階段壁２と対向する２辺１ａ，１ａにおいては、踊り場１からの荷重Ｆ１は踊り場支持金物３を介して横桟５の上面５ｂと側面５ａとの２面で負担されこととなり、しかも水平プレート部８をボルト９にて横桟５の上面５ｂに固定することで踊り場支持金物３が十分に補強され、大地震等による揺れによって踊り場支持金物３に強度な荷重が加わった場合であっても、踊り場支持金物３に曲げが発生するのを防止できると共に、ボルト９の引き抜き現象が起こるのを防止できるようになる。さらに、踊り場１の階段壁２とは対向しない残りの１辺１ｂは踊り場１よりも下側の階段蹴込板１０にて支持されるので、階段蹴込板１０に加わる荷重Ｆ２が下側の階段全体で負担されることとなる。この結果、踊り場支持金物３と階段蹴込板１０とを用いて踊り場１の３辺を強力に支持できるようになる。また水平プレート部８の幅方向の一端部が踊り場支持部４の上面に重なって踊り場支持部４を補強することができ、しかも既存のＬ形金物本体３Ａに対して水平プレート部８を後付けするだけでも断面略Ｔ字状の踊り場支持金物３を容易に作製できるようになり、さらに水平プレート部８間の隙間を利用して縦桟６が嵌め込まれる凹部１１を簡単に形成できて踊り場支持金物３のコストアップを防止できる。
【０００６】
また上記壁体骨組２Ａは横桟５と縦桟６とが縦横格子状に構成されており、踊り場支持金物３に複数の水平プレート部８を並設すると共に、水平プレート部８，８間に上記縦桟６に嵌め込まれる凹部１１を設け、凹部１１を縦桟６に嵌め込んだ状態で各水平プレート部８を縦桟６の両側の横桟５の上面５ｂにそれぞれ載置して固定して成るのが好ましく、この場合、凹部１１に縦桟６を嵌め込むことによって水平プレート部８を横桟５の上面５ｂに固定するときに縦桟６が妨げとならず、縦横格子状の壁体骨組２Ａの構造を変更することなく踊り場支持金物３の取り付けが可能となる。
【０００７】
【発明の実施の形態】
以下、本発明を添付図面に示す実施形態に基づいて説明する。
【０００８】
本実施形態の踊り場１は、図４に示すＵ字型階段１２の中間に設けられている。ここでは、踊り場１の２辺１ａ，１ａが直交する２面の階段壁２，２にそれぞれ対向しており、踊り場１の残りの１辺１ｂは踊り場１よりも下側の踏板２６に対向している。ここで図４のＡ−Ａ’線断面を図７に示し、図４のＢ−Ｂ’断面を図８に示す。図７中の１５は踊り場１の下方に設けられたトイレ空間、１６は便器であり、図８中の１７は踊り場１よりも下側の直階段、１８は１階の床パネルである。
【０００９】
上記踊り場１の階段壁２，２と対向する２辺１ａ，１ａは、それぞれ、踊り場支持金物３にて支持され、踊り場１の階段壁２とは対向しない残りの１辺１ｂは、後述のように踊り場１よりも下側の階段蹴込板１０（図３）にて支持されている。ここで図５は一方の階段壁２と対向する踊り場１の１辺１ａを踊り場支持金物３にて支持した状態を示しており、図６は他方の階段壁２と対向する踊り場１の他の１辺１ａを別の踊り場支持金物３にて支持した状態を示している。尚図５中の１２は垂れ壁、１３は踊り場１よりも上側の直階段、１４は２階の床パネルである。
【００１０】
上記階段壁２の壁体骨組２Ａは、図２に示すように、方形枠１９の内側に角材からなる横桟５と縦桟６とが縦横格子状に架け渡されて構成されており、この壁体骨組２Ａの両表面に石膏ボード等からなるパネル材２０，２１を覆設して階段壁２が構成されている。踊り場１側に面するパネル材２０には開口部２２（図１）が設けられており、この開口部２２を介して後述の踊り場支持金物３の垂下部７を横桟５の側面５ａに当接させることができると共に、水平プレート部８を横桟５の上面５ｂに載置できるようにしてある。
【００１１】
上記踊り場支持金物３は、図１に示すように断面略Ｔ字形に形成され、踊り場１を支持する水平な踊り場支持部４と階段壁２の壁体骨組２Ａを構成する横桟５の側面５ａに当接する垂下部７とからなるＬ形金物本体３Ａと、踊り場支持部４の壁側端部４ａから横桟５側に向かって水平方向Ｄに突出して横桟５の上面５ｂに載置される剛性の水平プレート部８とで構成されている。本例では、図２に示すように、水平プレート部８はＬ形金物本体３Ａとは別部材とされ、水平プレート部８の幅寸法Ｓ（図１）は、踊り場支持部４の幅寸法Ｖ（図１）よりも幅広とされ、水平プレート部８の幅方向の一端側が踊り場支持部４の上面に重なって踊り場支持部４を補強する働きをし、水平プレート部８の幅方向の先端側がパネル材２０の開口部２２に挿入されて横桟５の上面５ｂに固定されることによりＬ形金物本体３Ａを補強する働きをする。図２中の３０はコーチスクリューボルト９ａが貫通する貫通孔である。また本例では、Ｌ形金物本体３Ａの上面に２枚の水平プレート部８，８を間隔をあけて固着してあり、水平プレート部８，８間が縦桟６に嵌め込まれる凹部１１となっており、この凹部１１に縦桟６を嵌め込むことで２枚の水平プレート部８を縦桟６の両側の横桟５の上面５ｂにそれぞれ載置できるようにしてある。さらに、垂下部７を横桟５の側面５ａに当接させ且つ水平プレート部８を横桟５の上面５ｂに載置した状態で、コーチスクリューボルト９ａを水平プレート部８の上方から水平プレート部８を貫通して横桟５に打入することによって踊り場支持金物３を横桟５に対して固定することができ、これにより、踊り場支持部４にて踊り場１の階段壁２と対向する２辺１ａ，１ａをそれぞれ支持できるようになっている。尚、水平プレート部８を固定するボルト９として、本例ではコーチスクリューボルト９ａを使用しているがこれに限られるものではない。また水平プレート部８の数は２枚に限らない。また水平プレート部８とＬ形金物本体３Ａとを一体形成したものであってもよい。
【００１２】
一方、踊り場１の階段壁２とは対向しない残りの１辺１ｂは、図３に示すように、踊り場１よりも下側の階段蹴込板１０にて支持されている。図３に示す例では、階段蹴込板１０の上端部が踊り場１の１辺１ｂの下面に設けた凹溝２５に嵌め込まれており、階段蹴込板１０の下端部が踊り場１よりも下側の直階段１７の最上段の踏板２６上に載置されていると共に、階段蹴込板１０の背面フレーム２７が階段架台２８側の桁部分に釘等で固定されている。
【００１３】
しかして、上記踊り場支持部４と垂下部７とからなるＬ形金物本体３Ａに水平プレート部８を取り付けて断面略Ｔ字形の踊り場支持金物３を構成し、この踊り場支持金物３の垂下部７を壁体骨組２Ａの横桟５の側面５ａに当接させ且つ水平プレート部８を上記横桟５の上面５ｂに載置した状態で、上方からコーチスクリューボルト９ａを水平プレート部８を貫通して横桟５に打入する。これにより、踊り場１の階段壁２と対向する２辺１ａ，１ａにおいては、踊り場１からの荷重Ｆ１（図３）は踊り場支持金物３を介して横桟５の上面５ｂと側面５ａとの２面で負担されることとなる。つまり、踊り場支持部４にかかる荷重Ｆ１が垂下部７と水平プレート部８との２方向に分散（Ｆ１’，Ｆ１”）されるようになる。しかも踊り場支持金物３全体を断面略Ｔ字形とし、且つ水平プレート部８をコーチスクリューボルト９ａにて横桟５の上面５ｂに固定しているので踊り場支持金物３が十分に補強され、大地震等による揺れによって踊り場支持金物３に強度な荷重が加わった場合であっても、踊り場支持金物３に曲げが発生するのを防止できると共に、コーチスクリューボルト９ａの引き抜き現象が起こるのを防止できるようになる。
【００１４】
一方、踊り場１の階段壁２とは対向しない残りの１辺１ｂは、踊り場１よりも下側の階段蹴込板１０にて支持されているので、階段蹴込板１０に加わる荷重Ｆ２（図３）は階段架台２８側にて受け止められ、ひいては下側の直階段１７全体で受け止められることとなる。
【００１５】
この結果、上記踊り場支持金物３と上記階段蹴込板１０とを用いて踊り場１の３辺１ａ，１ａ，１ｂを強力に支持できるようになり、踊り場１の支持強度を向上させることができ、大地震等による揺れに対し強度の耐力が十分に働く構造とすることができる。
【００１６】
また、上記踊り場支持金物３の垂下部７は横桟５の側面５ａに当てがうだけでよいので、コーチスクリューボルト９ａの打入箇所の増加を防止でき、コーチスクリューボルト９ａによる固定作業の手数が省かれる。従って、上記のように踊り場支持金物３による踊り場１の支持強度を増大させることができるものでありながら、踊り場１の施工が簡単で且つ安価なものとなり、工期の短縮化、工費の節減化を図ることができる。
【００１７】
また、上記階段壁２の踊り場１に面したパネル材２０に水平プレート部８及び垂下部７が入り込む開口部２２を設けているが、この開口部２２は従来の断面逆Ｌ字形の踊り場支持金物３（図８）を使用する際にも必要とされ、この点で従来と同様である。また水平プレート部８はＬ形金物本体３Ａと別体とされているため、既存のＬ形金物本体３Ａに対して水平プレート部８を後付けするだけで断面略Ｔ字形の踊り場支持金物３を容易に作製できるようになり、しかも、水平プレート部８，８間の隙間を利用して縦桟６に嵌め込まれる凹部１１を簡単に形成できるので、踊り場支持金物３のコストアップを防止できるようになり、しかも、縦桟６に嵌め込まれる凹部１１を設けることで、水平プレート部８を横桟５の上面５ｂに固定するときに縦桟６が妨げとならないものであり、これにより、縦横格子状の壁体骨組２Ａの構造を変更することなく本発明の踊り場支持金物３を使用できるという利点もある。
【００１８】
本発明の踊り場の支持構造は、Ｕ字型階段１２の中間に設けた踊り場１に適用されるだけでなく、Ｕ字型以外の他の階段に設けられる踊り場にも広く適用されるものである。
【００１９】
【発明の効果】
上述のように請求項１記載の発明にあっては、踊り場の階段壁と対向する２辺に沿って踊り場支持金物が配設され、上記踊り場支持金物は、踊り場を支持する水平な踊り場支持部と、踊り場支持部の壁側端部から垂下して階段壁の壁体骨組を構成する横桟の側面に当接する垂下部と、踊り場支持部の壁側端部から上記横桟側に向かって水平方向に突出して横桟の上面に載置される水平プレート部とで断面略Ｔ字形に形成されており、上記断面略Ｔ字形の踊り場支持金物の垂下部を横桟の側面に当接させ且つ水平プレート部を横桟の上面に載置してボルトにて水平プレート部と横桟とを固定した状態で踊り場の階段壁と対向する２辺を踊り場支持部にてそれぞれ支持しているので、踊り場の階段壁と対向する２辺においては、踊り場からの荷重を踊り場支持金物を介して横桟の上面と側面との２面で負担できると共に、水平プレート部をボルトにて横桟の上面に固定することで踊り場支持金物が十分に補強され、大地震等による揺れによって踊り場支持金物に強度な荷重が加わった場合であっても、踊り場支持金物に曲げが発生するのを防止できると共に、ボルトの引き抜き現象が起こるのを防止できるようになる。さらに、踊り場の階段壁とは対向しない残りの１辺を踊り場よりも下側の階段蹴込板にて支持しているので、階段蹴込板に加わる荷重が下側の階段全体で負担されることとなる。この結果、踊り場支持金物と階段蹴込板とを用いて踊り場の３辺を強力に支持できるようになり、踊り場の支持強度を向上させることができ、大地震等による揺れに対し強度の耐力が十分に働く構造とすることができる。そのうえ上記踊り場支持金物の垂下部は横桟の側面に対して当接しているだけなので、ボルトの打入箇所の増加を防止でき、ボルトによる固定作業の手数が省かれる。この結果、踊り場支持金物による踊り場の支持強度を増大させることができるものでありながら、踊り場の施工が簡単で且つ安価なものとなり、工期の短縮化、工費の節減化を図ることができる。また踊り場支持部と垂下部とからなるＬ形金物本体と水平プレート部とを別部材として水平プレート部の幅方向の一端部を踊り場支持部に重ねて形成されているので、水平プレート部の幅方向の一端部が踊り場支持部の上面に重なって踊り場支持部を補強することができ、しかも既存のＬ形金物本体に対して水平プレート部を後付けするだけでも断面略Ｔ字状の踊り場支持金物を容易に作製できるようになり、さらに水平プレート部間の隙間を利用して縦桟が嵌め込まれる凹部を簡単に形成できて踊り場支持金物のコストアップを防止できる。
【００２０】
また請求項２記載の発明は、請求項１記載の効果に加えて、上記壁体骨組は横桟と縦桟とが縦横格子状に構成されており、踊り場支持金物に複数の水平プレート部を並設すると共に、水平プレート部間に上記縦桟に嵌め込まれる凹部を設け、凹部を縦桟に嵌め込んだ状態で各水平プレート部を縦桟の両側の横桟の上面にそれぞれ載置して固定して成るので、凹部に縦桟を嵌め込むことによって水平プレート部を横桟の上面に固定するときに縦桟が妨げとならないものであり、これにより、縦横格子状の壁体骨組の構造を変更することなく踊り場支持金物の取り付けが可能となる。
【図面の簡単な説明】
【図１】本発明の実施形態の一例を示しており、図４のＣ−Ｃ’線断面図である。
【図２】同上の踊り場支持金物と壁体骨組との分解斜視図である。
【図３】同上の踊り場からの荷重が踊り場支持金物及び階段蹴込板にかかった場合を説明する断面図である。
【図４】同上のＵ字型階段の平面図である。
【図５】同上の一方の階段壁と対向する踊り場の１辺を支持する踊り場支持金物を説明する説明図である。
【図６】同上の他方の階段壁と対向する踊り場の他の１辺を支持する踊り場支持金物を説明する説明図である。
【図７】図４のＡ−Ａ’線断面図である。
【図８】図４のＢ−Ｂ’断面図である。
【図９】従来の踊り場支持金物を説明する断面図である。
【符号の説明】
１  踊り場
１ａ  階段壁と対向する１辺
１ｂ  階段壁と対向しない１辺
２  階段壁
２Ａ  壁体骨組
３  踊り場支持金物
４  踊り場支持部
４ａ  壁側端部
５  横桟
５ａ  側面
５ｂ  上面
６  縦桟
７  垂下部
８  水平プレート部
９  ボルト
１０  階段蹴込板
１１  凹部
Ｄ  水平方向
【図１】
0003557191.tif 000002
【図２】
0003557191.tif 000003
【図３】
0003557191.tif 000004
【図４】
0003557191.tif 000005
【図５】
0003557191.tif 000006
【図６】
0003557191.tif 000007
【図７】
0003557191.tif 000008
【図８】
0003557191.tif 000009
【図９】
0003557191.tif 000010